(57)【要約】【課題】携帯端末向けのＷｅｂページ上でも、簡単に操作できる広告を提供し、広告効果を向上させる。【解決手段】本発明にかかる広告生成装置は、移動オブジェクトを含む広告を生成する生成手段を有し、生成手段は、広告を表示する端末装置に、端末装置本体が傾けられたとき、端末装置本体の傾きと傾き方向とを検出させ、端末装置本体の傾きと傾き方向とに応じて移動オブジェクトを移動させ、移動オブジェクトの移動先位置が所定位置に到達したとき、該広告への操作を検知させる広告を生成する。【選択図】図５
2014186540.tif 000002
【特許請求の範囲】
【請求項１】
広告を生成する広告生成装置であって、
移動オブジェクトを含む広告を生成する生成手段を有し、
前記生成手段は、広告を表示する端末装置に、
端末装置本体が傾けられたとき、端末装置本体の傾きと傾き方向とを検出させ、
前記端末装置本体の傾きと前記傾き方向とに応じて前記移動オブジェクトを移動させ、
前記移動オブジェクトの移動先位置が所定位置に到達したとき、該広告への操作を検知させる広告を生成すること、
を特徴とする広告生成装置。
【請求項２】
前記広告は、
前記所定位置に対し、前記移動オブジェクトの移動を促す表示を含むこと、
を特徴とする請求項１記載の広告生成装置。
【請求項３】
前記生成手段は、前記端末装置に、
前移動オブジェクトの移動に伴って、移動軌跡上に表示される広告コンテンツを追加する広告を生成すること、
を特徴とする請求項２記載の広告生成装置。
【請求項４】
前記生成手段は、前記端末装置に、
前記広告への操作を検知させたとき、広告コンテンツを変化させる広告を生成すること、
を特徴とする請求項１ないし３何れか一項記載の広告生成装置。
【請求項５】
移動オブジェクトを含む広告を生成する生成手段として機能させ、
前記生成手段は、広告を表示する端末装置に、
端末装置本体が傾けられたとき、端末装置本体の傾きと傾き方向とを検出させ、
前記端末装置本体の傾きと前記傾き方向とに応じて前記移動オブジェクトを移動させ、
前記移動オブジェクトの移動先位置が所定位置に到達したとき、該広告への操作を検知させる広告を生成すること、
を特徴とする広告生成プログラム。
【請求項６】
広告を表示する端末装置であって、
端末装置本体が傾けられたとき、端末装置本体の傾きと傾き方向とを検出する傾き検出手段と、
前記傾き検出手段により検出された前記端末装置本体の傾きと前記傾き方向とに応じて移動する移動オブジェクトを含む広告を表示する表示手段と、
前記移動オブジェクトの移動先位置が所定位置に到達したとき、前記広告への操作を検知する操作検知手段と、
を有することを特徴とする端末装置。
【発明の詳細な説明】
【技術分野】
【０００１】
本発明は、広告生成装置、広告生成プログラム、及び端末装置の技術に関する。
【背景技術】
【０００２】
従来より、Ｗｅｂページ（Ｗｅｂサイト）上の広告として、バナー広告が知られている。一方、近年、スマートフォンに代表される携帯端末が広く普及している。このため、携帯端末を用いて、Ｗｅｂページを閲覧するユーザも多い。
【０００３】
ここで、ユーザが携帯端末の画面は、ＰＣ等の画面と比較して小さいため、携帯端末向けのＷｅｂサイト上には、広告を設置しにくいという問題がある。
【０００４】
これに関する技術として、例えば、Ｗｅｂページ上、広告を小さく加工して表示したり、又は、Ｗｅｂページの状況により広告の表示位置を変えて広告を表示しようとする技術が知られている（例えば、特許文献１参照）。
【先行技術文献】
【特許文献】
【０００５】
【特許文献１】特開２０１２−０７３８６３号公報
【発明の概要】
【発明が解決しようとする課題】
【０００６】
しかしながら、携帯端末向けのＷｅｂページ上に広告を設置すると、多くの場合、広告領域が小さくならざるを得ない。このため、ユーザが操作（例えば、タッチ）しにくい、操作が面倒であるなどと感じてしまい、高い広告効果（例えば、ＣＲＴ）を望むことが困難であった。
【０００７】
本発明は上記の点に鑑み提案されたものであり、携帯端末向けのＷｅｂページ上でも、簡単に操作できる広告を提供し、広告効果を向上させることにある。
【課題を解決するための手段】
【０００８】
上記の課題を解決するため、本発明にあっては、広告を生成する広告生成装置であって、移動オブジェクトを含む広告を生成する生成手段を有し、前記生成手段は、広告を表示する端末装置に、端末装置本体が傾けられたとき、端末装置本体の傾きと傾き方向とを検出させ、前記端末装置本体の傾きと前記傾き方向とに応じて前記移動オブジェクトを移動させ、前記移動オブジェクトの移動先位置が所定位置に到達したとき、該広告への操作を検知させる広告を生成する。
【発明の効果】
【０００９】
本発明の実施の形態によれば、携帯端末向けのＷｅｂページ上でも、簡単に操作できる広告を提供し、広告効果を向上させることができる。
【図面の簡単な説明】
【００１０】
【図１】広告システムのネットワーク構成図である。
【図２】携帯端末１のハードウェア構成例を示す図である。
【図３】携帯端末１を説明する図である。
【図４】携帯端末１及びＷｅｂ／広告サーバ２のソフトウェア構成例を示す図である。
【図５】広告操作例１を示す図である。
【図６】広告操作例１の画面遷移を示す図である。
【図７】広告操作例２を示す図である。
【図８】広告操作例２の画面遷移を示す図である。
【図９】広告操作例３を示す図である。
【図１０】携帯端末１の広告操作検知処理例を示すフローチャートである。
【図１１】移動オブジェクトの位置を説明する図である。
【発明を実施するための形態】
【００１１】
以下、本発明の好適な実施形態につき説明する。
【００１２】
＜構成＞
（ネットワーク構成）
図１は、本発明の一実施形態にかかる広告システムのネットワーク構成図である。広告システムは、携帯端末１、Ｗｅｂ／広告サーバ２が、ネットワーク３を介して接続される。
【００１３】
携帯端末１は、携帯端末向けのＷｅｂページ（Ｗｅｂサイト）を閲覧するためのユーザ端末装置である。ユーザは、広告付きＷｅｂページにアクセスし、Ｗｅｂページ内の情報や広告を閲覧する。
【００１４】
なお、携帯端末１は、スマートフォン、携帯電話、PDA等の情報処理機器から構成される。また、例えば、広告付きＷｅｂページを閲覧するためのＷｅｂブラウザなどのアプリケーションを備える。
【００１５】
Ｗｅｂ／広告サーバ２は、携帯端末１に対し、広告付きＷｅｂページを生成し、提供する広告生成装置である。本実施形態では、Ｗｅｂサーバ兼広告サーバとして構成される。Ｗｅｂ／広告サーバ２は、携帯端末１からＷｅｂページの閲覧要求を受信すると、Ｗｅｂページ上に広告主から入稿される広告を設置することにより広告付きＷｅｂページを生成し、生成した広告付きＷｅｂページを応答する。これにより、携帯端末１は、広告付きＷｅｂページを閲覧できる。なお、いうまでもなく、Ｗｅｂサーバと広告サーバとは、それぞれ別の装置で構成されてもよい。
【００１６】
ネットワーク３は、有線、無線を含むネットワークで、例えば、携帯端末１、Ｗｅｂ／広告サーバ２を相互に接続するインターネット網である。また、携帯端末１とインターネット間は、３G、４G、WiFi（登録商標）等で接続される。
【００１７】
（ハードウェア構成）
図２は、本発明の一実施形態にかかる携帯端末１のハードウェア構成例を示す図である。具体的に、図に示されるように、ＣＰＵ（Central Processing Unit）１１と、ＲＯＭ（Read Only Memory）１２と、ＲＡＭ（Random Access Memory）１３と、入力装置１４と、出力装置１５と、通信装置１６と、ＨＤＤ（Hard Disk Drive）１７と、センサー１８とを有する。
【００１８】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする。入力装置１４は、キーボードやマウスである（タッチパネルを含む）。出力装置１５は、映像や画像を表示出力するディスプレイや、音声等を出力するスピーカーである。通信装置１６は、ネットワーク３を介し他装置との通信を行う。ＨＤＤ１７は、各種データ及びプログラムを格納する。
【００１９】
また、センサー１８は、携帯端末１の加速度(速度の変化率)を計測するための加速度センサーである。一定時間の間に速度がどれだけ変化したかを計測する。また、加速度センサーでは、状態の変化を連続的に記録することで、現在の状態を推測することができる。また、加速度センサーは、重力による運動の変化を計測することもできるため、携帯端末１本体の傾き具合（傾きの方向や角度等）などを検出することもできる。
【００２０】
また、携帯端末１は、この他にも、携帯端末特有のハードウェア、例えば、ＧＰＳ等を有していてもよい（非図示）。
【００２１】
図３は、本発明の一実施形態にかかる携帯端末１を説明する図である。具体的に、本実施形態にかかるセンサー１８は、加速度を、携帯端末１を中心とした３次元空間の、それぞれの空間軸のＸＹＺ成分として取得することが可能である。また、センサー１８は、重力による地面方向への加速度も検出しており、重力による運動の変化を計測することもできるため、ＸＹＺ成分の値に基づいて、物体（携帯端末１本体）の傾き具合、傾きの方向などを検出できる。
【００２２】
なお、携帯端末１では、センサー１８にアクセスするためのＡＰＩ（Programming Interface）が用意されている。このため、Ｗｅｂ／広告サイトを閲覧するためのＷｅｂブラウザは、ＪａｖａＳｃｒｉｐｔ（登録商標）を用いて、センサー１８からＡＰＩを介し、ＸＹＺ成分の値を取得することが可能となっている。
【００２３】
なお、Ｗｅｂ／広告サーバ２のハードウェア構成については、センサー１８を除き、図２と同様でよい。
【００２４】
（ソフトウェア構成）
図４は、本発明の一実施形態にかかる携帯端末１及びＷｅｂ／広告サーバ２のソフトウェア構成例を示す図である。
【００２５】
まず、Ｗｅｂ／広告サーバ２は、機能部として、生成部２０１を有する。
【００２６】
生成部２０１は、携帯端末１からＷｅｂページの閲覧要求を受信すると、Ｗｅｂページ上に広告主から入稿される広告を設置することにより広告付きＷｅｂページを生成する。また、生成した広告付きＷｅｂページを応答する。
【００２７】
次に、携帯端末１は、機能部として、傾き検知部１０１、表示部１０２、操作検知部１０３を有する。
【００２８】
傾き検知部１０１は、携帯端末１本体の傾きと傾きの方向とを検出する機能を有する。
【００２９】
表示部１０２は、広告付きＷｅｂページを表示する機能を有する。広告の具体例については、後述する。
【００３０】
操作検知部１０３は、移動オブジェクトの移動先位置が所定位置に到達したとき、広告付きＷｅｂページ上の広告への操作を検知する機能を有する。広告への操作が検知された場合、例えば、広告内容が別の広告内容へ切り替わったり、広告にリンクされるＵＲＬへ画面が遷移したりする。この点、詳細は後述する。
【００３１】
＜広告例及び広告操作例＞
次に、本実施形態にかかる広告及び広告操作を例示する。なお、以下に示される広告付きＷｅｂページは、何れも、Ｗｅｂ／広告サーバ２（生成部２０１）により生成され、携帯端末１に送信されたものである。
【００３２】
（傾きボール型広告）
図５は、本発明の一実施形態にかかる広告操作例１を示す図である。
【００３３】
（ａ）に示されるように、まず、ユーザは携帯端末１を用いて、Ｗｅｂブラウザ上、広告付きＷｅｂページ５０１を表示する。Ｗｅｂページ５０１の例えば上部には、バナー形状の広告５０２が表示されている。
【００３４】
広告５０２には、球状のボール図柄部品（移動オブジェクト）５０３が描かれており、中央位置（初期位置）から左右方向に移動可能な状態となっている。また、広告５０２は、通話アプリの広告であり、広告上、例えば、「通話アプリをおもちですか？」、「本体を傾けてお答えください。」と記載されている。
【００３５】
これにより、広告５０２を閲覧したユーザは、携帯端末１を左右に傾けると、ボール図柄部品５０３が傾きに応じて、左右に移動することを認識できる。また、ボール図柄部品５０３を一番右又は左の先端まで移動させることで、質問に対し、「Ｙｅｓ」、「Ｎｏ」で回答することができることを認識できる。具体的には、（ｂ）に示されるように、ユーザは携帯端末１を例えば右方向に傾けて、ボール図柄部品５０３を右方向の「Ｙｅｓ」へ向かって移動させることができる。
【００３６】
図６は、本発明の一実施形態にかかる広告操作例１の画面遷移を示す図である。
【００３７】
（ａ）：ユーザが携帯端末１を右方向に傾けると、ボール図柄部品５０３は傾き方向に従って、中央位置（初期位置）から右方向に移動を開始する。なお、傾きの角度が急なほど、ボール図柄部品５０３の移動速度を早く移動させる。
【００３８】
（ｂ）：ユーザが携帯端末１を右方向に暫くの間傾け続けると、ボール図柄部品５０３は傾き方向に従って、右方向に移動し、やがて、右先端（広告の切替位置）まで到達する。
【００３９】
（ｃ）：ボール図柄部品５０３が右先端まで到達すると、広告５０２の表示コンテンツを、例えば、広告５０２−２の表示コンテンツへ切り替える（変化させる）。
【００４０】
なお、広告の切り替えは、広告５０２と同一スペース枠内で広告５０２−２の表示コンテンツへ切り替えてもよいし、全画面枠内で広告５０２−２の表示コンテンツへ切り替えてもよい。また、広告５０２−２の表示コンテンツは、広告５０２−２の表示コンテンツへ切り替えタイミングで、広告５０２の表示コンテンツにリンクされたＵＲＬからダウンロード（取得）されてもよいし、広告５０２の表示コンテンツと共に予めダウンロードされていてもよい。
【００４１】
さらに、広告５０２−２の表示コンテンツは、ＵＲＬがリンクされており、例えば、ユーザのタッチ操作等により、リンク先に画面遷移するようにしてもよい。全画面枠内で広告５０２−２の表示コンテンツが表示されている場合、広告５０２−２はタッチ操作には十分なサイズであるので、ユーザが広告５０２−２をタッチ操作するに支障はない。
【００４２】
（傾きスライダー型広告）
図７は、本発明の一実施形態にかかる広告操作例２を示す図である。
【００４３】
（ａ）に示されるように、まず、ユーザは携帯端末１を用いて、Ｗｅｂブラウザ上、広告付きＷｅｂページ７０１を表示する。Ｗｅｂページ７０１の例えば上部には、バナー形状の広告７０２が表示されている。
【００４４】
広告７０２には、矩形状のスライダー図柄部品（移動オブジェクト）７０３が描かれており、右先端位置（初期位置）から左方向に移動可能な状態となっている。また、広告７０２は、通話アプリの広告であり、広告上、例えば、「通話アプリ」と記載されている。
【００４５】
これにより、広告７０２を閲覧したユーザは、携帯端末１を左方向に傾けると、スライダー図柄部品７０３が傾きに応じて、左に移動することを認識できる。また、スライダー図柄部品７０３を一番左の先端まで移動させることで、何らかのアクションが発生することを認識できる。具体的には、（ｂ）に示されるように、ユーザは携帯端末１を例えば左方向に傾けて、スライダー図柄部品７０３を左先端へ向かって移動させることができる。
【００４６】
図８は、本発明の一実施形態にかかる広告操作例２の画面遷移を示す図である。
【００４７】
（ａ）：ユーザが携帯端末１を左方向に傾けると、スライダー図柄部品７０３は傾き方向に従って、右先端位置（初期位置）から左方向に移動を開始する。なお、傾き角度が急なほど、スライダー図柄部品７０３の移動速度を早く移動させる。
【００４８】
（ｂ）：ユーザが携帯端末１を左方向に傾けると、スライダー図柄部品７０３は傾き方向に従って、次第に左方向に移動する。なお、本実施形態の場合、スライダー図柄部品７０３の移動に伴って、スライダー図柄部品７０３の移動軌跡上後に、アニメーションなど新たな広告内容を追加表示させるなどして、広告７０２を変化させるようにした。スライダー図柄部品７０３を動かしている間は、スライダー図柄部品７０３又は移動軌跡には、ユーザの注目があたっているので、特に移動軌跡付近の広告は、広告効果が高い。
【００４９】
（ｃ）：ユーザが携帯端末１を左方向に暫くの間傾け続けると、スライダー図柄部品７０３は傾き方向に従って、左方向に移動し、やがて、左先端（広告の切替位置）まで到達する。
【００５０】
（ｄ）：スライダー図柄部品７０３が左先端まで到達すると、広告７０２の表示コンテンツを、例えば、広告７０２−２の表示コンテンツへ切り替える。広告７０２−２は、全画面枠内で表示される表示コンテンツのため、画面サイズ最大まで引き伸びるように拡大される。
【００５１】
（ｅ）：広告７０２−２の表示コンテンツは、全画面枠内で表示される。なお、切り替えは、広告７０２と同一スペース枠内で広告５０２−２の表示コンテンツへ切り替えてもよい。また、広告７０２−２の表示コンテンツは、広告７０２−２の表示コンテンツへ切り替えタイミングで、広告７０２の表示コンテンツにリンクされたＵＲＬからダウンロード（取得）されてもよいし、広告７０２の表示コンテンツと共に予めダウンロードされていてもよい。
【００５２】
さらに、広告７０２−２の表示コンテンツは、ＵＲＬがリンクされており、例えば、ユーザのタッチ操作等により、リンク先に画面遷移するようにしてもよい。
【００５３】
（その他の広告）
図９は、本発明の一実施形態にかかる広告操作例３を示す図である。
【００５４】
（ａ）に示されるように、今度の広告９０２には、球状のボール図柄部品（移動オブジェクト）９０３が描かれており、上下左右の３６０度に移動可能な状態となっている。また、広告９０２の四隅には、ボール図柄部品９０３の収納穴９０４（広告の切替位置）が設けられている。
【００５５】
広告９０２を閲覧したユーザは、携帯端末１を上下左右に傾けると、ボール図柄部品９０３が傾きに応じて、上下左右に移動することを認識できる。また、ボール図柄部品９０３を四隅の収納穴まで移動させることで、何らかのアクションが発生することを認識できる。
【００５６】
ボール図柄部品９０３が四隅の収納穴まで移動された場合、広告９０２の表示コンテンツを、例えば、広告９０２−２の表示コンテンツ（非図示）へ切り替える。
【００５７】
次いで、（ｂ）に示されるように、今度の広告９０６には、球状のボール図柄部品（移動オブジェクト）９０７が描かれており、上下左右の３６０度に移動可能な状態となっている。また、広告９０６の左右隅には、サッカーゴールを模したボール図柄部品９０７の収納穴（広告の切替位置）が設けられている。
【００５８】
広告９０６を閲覧したユーザは、携帯端末１を上下左右に傾けると、ボール図柄部品９０７が傾きに応じて、上下左右に移動することを認識できる。また、ボール図柄部品９０７を左右隅の収納穴まで移動させることで、何らかのアクションが発生することを認識できる。
【００５９】
ボール図柄部品９０７が四隅の収納穴まで移動された場合、広告９０６の表示コンテンツを、例えば、広告９０６−２の表示コンテンツ（非図示）へ切り替える。
【００６０】
＜動作＞
次に、本実施形態にかかる携帯端末１の処理動作について説明する。
【００６１】
図１０は、本発明の一実施形態にかかる携帯端末１の広告操作検知処理例を示すフローチャートである。以下、図面を参照しながら、詳しく説明する。
【００６２】
なお、前提として、ユーザは携帯端末１のＷｅｂブラウザ上、広告付きＷｅｂページが表示されている。また、図１１に示されるように、広告付きＷｅｂページの記述ファイル(例えば、ＨＴＭＬ等)内には、広告上において、ＪａｖａＳｃｒｉｐｔ（登録商標）等により、移動オブジェクトの初期位置、移動オブジェクトの移動可能領域、移動オブジェクトの移動可能領域内の広告の切替位置、移動オブジェクトの移動先位置を決定するための算出式などの情報が、予め埋め込まれ定義されている。
【００６３】
Ｓ１：傾き検知部１０１は、携帯端末１本体の傾きと傾きの方向との値を検出する。携帯端末１本体の傾きと傾きの方向との値は、ユーザにより携帯端末１が傾けられた場合に、検出される。
【００６４】
なお、傾き検知部１０１は、上述したように、センサー１８から取得されるＸＹＺ成分の値に基づいて、携帯端末１本体の傾きと傾きの方向との値を算出することができる。
【００６５】
携帯端末１本体の傾きと傾きの方向との値を検出した場合、Ｓ２へ進む。
【００６６】
Ｓ２：次に、表示部１０２は、傾き検知部１０１により検出された携帯端末１本体の傾きと傾きの方向とに応じて、移動オブジェクトを移動させ、広告を表示する。
【００６７】
なお、表示部１０２は、移動オブジェクトの移動先位置を決定するための算出式（例えば、ＪａｖａＳｃｒｉｐｔ）を用いて、傾き検知部１０１により検出された携帯端末１本体の傾きと傾きの方向とから、移動オブジェクトの移動距離及び方向を算出し、移動オブジェクトの移動先位置を決定する。つまり、広告付きＷｅｂページの記述ファイル(例えば、ＨＴＭＬ等)内に記述されているスクリプトにより、上述のセンサー１８により取得されたパラメータ（例えば、ＸＹＺ成分の値）を用いて、パラメータに応じた移動オブジェクトの移動先位置が算出される。そして、表示部１０２は、スクリプトにより算出された移動先位置に移動オブジェクトを移動させて、広告を表示する。
【００６８】
また、移動オブジェクトは、移動オブジェクトの移動可能領域内のみ、移動可能である（図１１）。このため、表示部１０２は、移動オブジェクトを移動させる際、移動可能領域外への移動オブジェクトの移動は無効とする。但し、移動オブジェクトの移動可能領域の範囲は、広告形態に応じて異なる（例えば、図５、７、９参照）。
【００６９】
Ｓ３：次に、操作検知部１０３は、移動オブジェクトの位置（現在位置）が、広告の切替位置と一致するか否かを判定する。
【００７０】
なお、移動オブジェクトの位置（現在位置）が、広告の切替位置と一致する場合とは、図５、６の例でいえば、例えば、ユーザが携帯端末１を右方向に傾け、ボール図柄部品５０３が右方向に移動し、右先端（広告の切替位置）まで到達した場合に相当する。
【００７１】
移動オブジェクトの位置（現在位置）が、広告の切替位置と一致する場合、Ｓ４へ進む。一致しない場合、Ｓ１へ戻る。
【００７２】
Ｓ４：次に、操作検知部１０３は、移動オブジェクトの位置（現在位置）が、広告の切替位置と一致すると判定した場合、広告への操作を検知する（広告への操作を検知したとみなす）。
【００７３】
Ｓ５：表示部１０２は、広告への操作が検知された場合、例えば、広告５０２の表示コンテンツを、例えば、広告５０２−２の表示コンテンツへ切り替える（図５）。
【００７４】
なお、Ｓ２で、表示部１０２は、移動オブジェクトを移動させるに移動に伴って、移動オブジェクトの移動軌跡上後に、アニメーションなど新たな広告内容を追加表示させるなどしてもよい（図８）。
【００７５】
また、Ｓ４で、操作検知部１０３は、移動オブジェクトの位置（現在位置）が、広告の切替位置と一致すると判定した場合、広告への操作を検知した。しかしながら、例えば、携帯端末１の入力装置１４がタッチパネルにより実現される場合、出力装置１５（ディスプレイ）上の画面に表示される広告が、ユーザにより直接タッチ操作された際も併せて広告への操作を検知してよい。
【００７６】
＜総括＞
以上、本実施形態にかかる広告付きＷｅｂページによれば、ユーザが直接操作（例えば、タッチ）しなくとも、操作が検知されるので、携帯端末向けのＷｅｂページ上の広告であっても、ユーザは簡単に操作できる。また、ユーザは、移動オブジェクトの移動というゲーム性をもって広告操作を行うことが可能である。このため、広告効果の向上がより期待できる。
【００７７】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００７８】
例えば、本実施形態にかかる操作検知部１０３は、移動オブジェクトの移動先位置が所定位置に到達したとき、広告付きＷｅｂページ上の広告への操作を検知した。しかしながら、これは、あくまで広告への操作検知方法の一例である。移動オブジェクトの移動先位置が所定位置に到達したと同等の事象を意味する限り、本実施形態の主旨に包含される。例えば、操作検知部１０３は、携帯端末１本体の傾きと傾きの方向とを参照し、所定時間の間、所定方向に検出されたとき（即ち、移動オブジェクトの移動先位置が所定位置に到達した）、広告への操作を検知することも可能である。
【符号の説明】
【００７９】
１        携帯端末
２        Ｗｅｂ／広告サーバ
３        ネットワーク
１１        ＣＰＵ
１２        ＲＯＭ
１３        ＲＡＭ
１４        入力装置
１５        出力装置
１６        通信装置
１７        ＨＤＤ
１８        センサー
１０１    傾き検知部
１０２    表示部
１０３    操作検知部
２０１    生成部
【図１】
2014186540.tif 000003
【図２】
2014186540.tif 000004
【図３】
2014186540.tif 000005
【図４】
2014186540.tif 000006
【図５】
2014186540.tif 000007
【図６】
2014186540.tif 000008
【図７】
2014186540.tif 000009
【図８】
2014186540.tif 000010
【図９】
2014186540.tif 000011
【図１０】
2014186540.tif 000012
【図１１】
2014186540.tif 000013